(57)【要約】  天井埋め込み型の空気調和機は、熱交換器を内蔵した本体と、本体の下端に取り付けられ、熱交換器で熱交換された空気を室内に吹き出す吹出口が設けられた化粧パネルと、断熱材の表面を合成樹脂材で被覆することにより構成されたドレンパンと、を具備する。ドレンパンは、熱交換器で生成されたドレン水を受ける凹陥部と、凹陥部の外周囲に設けられ、化粧パネルの吹出口に連通する連通口と、凹陥部の外周部と連通口との間に介在された壁部を有する。壁部の箇所では、断熱材が排除されて壁部が合成樹脂材で構成されている。  上記構成により、ドレンパンの連通口の開口面積を拡大して、吹出口から室内に吹き出す空気の通風抵抗を少なく抑え、送風性能を高めることができる。
2015125673.tif 000002
【特許請求の範囲】
【請求項１】
熱交換器を内蔵し、天井裏に据え付けられた本体と、  前記本体の下端に取り付けられ、天井から室内に露出されるとともに、前記熱交換器で熱交換された空気を室内に吹き出す吹出口が設けられた化粧パネルと、  断熱材の表面を合成樹脂材で被覆することにより構成されたドレンパンと、を具備し、  前記ドレンパンは、前記熱交換器で生成されたドレン水を受ける凹陥部と、前記凹陥部の外周囲に設けられ、前記化粧パネルの前記吹出口に連通する連通口と、前記凹陥部の外周部と前記連通口との間に介在された壁部と、を有し、当該壁部の箇所では前記断熱材が排除されて前記壁部が前記合成樹脂材で構成された空気調和機。
【請求項２】
前記合成樹脂材は、前記断熱材よりも薄い剛性を有するシート材で構成された請求項１に記載の空気調和機。
【請求項３】
前記本体は、金属製のケーシングと、当該ケーシングの内周面を覆う断熱材と、を有し、前記ドレンパンは、前記本体の前記断熱材の内側に嵌め込まれているとともに、前記本体の前記断熱材が前記ドレンパンの前記壁部と向かい合う請求項１に記載の空気調和機。
【請求項４】
前記本体の前記断熱材は、前記ドレンパンの前記壁部と協働して前記連通口を構成する請求項３に記載の空気調和機。
【請求項５】
前記化粧パネルは、当該化粧パネルを前記本体に仮固定する保持具を有し、前記ドレンパンを構成する前記合成樹脂材に前記保持具が取り外し可能に引っ掛かる係合部が一体に設けられた請求項１に記載の空気調和機。
【請求項６】
前記ドレンパンの前記係合部は、前記保持具の先端部が入り込むとともに互いに対向し合う一対の側壁を有する凹部と、前記凹部の前記側壁の間に架け渡され、前記保持具の先端部が取り外し可能に引っ掛かるブリッジ部と、で構成された請求項５に記載の空気調和機。
【請求項７】
前記ドレンパンを前記ケーシングに固定する固定具をさらに備え、前記固定具は、前記本体にねじで固定された第１の面部と、前記ドレンパンを下から支える第２の面部と、を有し、前記ねじを緩めることで前記第２の面部が前記ドレンパンから外れた位置に前記固定具が回動可能である請求項３に記載の空気調和機。
【請求項８】
前記ドレンパンを構成する前記合成樹脂材は、前記断熱材を貫通して前記ドレンパンの下面から突出されたボス部を有し、前記固定具の前記第２の面部は、前記ドレンパンを下から支えた時に前記ボス部が嵌り込む嵌合孔を有する請求項７に記載の空気調和機。
【請求項９】
前記ケーシングに前記本体を吊り下げる吊り金具が設けられ、当該吊り金具は、前記固定具の上方に位置された請求項８に記載の空気調和機。
【請求項１０】
前記ドレンパンは、排水口と、当該排水口に取り付けられたドレンキャップと、を含み、前記ドレンキャップは、その周縁から突出された爪部および舌片を有し、前記ドレンパンを構成する前記合成樹脂材は、前記断熱材を貫通する第１のボス部および第２のボス部を有し、前記ドレンパンの前記爪部が前記第１のボス部の先端に取り外し可能に引っ掛かり、前記ドレンパンの前記舌片が前記第２のボス部にねじを介して固定された請求項１に記載の空気調和機。
【発明の詳細な説明】
【技術分野】
【０００１】  本発明の実施形態は、熱交換器で生成されたドレン水を受けるドレンパンを備えた天井埋め込み型の空気調和機に関する。
【背景技術】
【０００２】  天井埋め込み型の空気調和機は、天井裏に据え付けられた本体を備えている。本体は、送風機および熱交換器を内蔵するとともに、本体の下端に開口された吸込口を有している。吸込口は、四角い化粧パネルで覆われている。化粧パネルは、天井から室内に露出されているとともに、複数の吹出口を有している。【０００３】  送風機が駆動されると、室内の空気が吸込口から本体に吸い込まれる。本体に吸い込まれた空気は、熱交換器を通過する過程で冷媒と熱交換される。熱交換された空気は、冷風又は温風となって吹出口から室内に吹き出す。【０００４】  通常の空気調和機によると、化粧パネルの中央部に吸込みグリルが設けられている。吸込みグリルは、四つの辺を有する正方形状に形成されているとともに、前記本体の吸込口と向かい合っている。さらに、化粧パネルの吹出口は、夫々吸込みグリルの辺に沿って延びる細長い開口形状を有している。
【先行技術文献】
【特許文献】
【０００５】
【特許文献１】特許第４１２２３９６号公報
【発明の概要】
【発明が解決しようとする課題】
【０００６】  従来の空気調和機によると、熱交換器の下にドレンパンが配置されている。ドレンパンは、熱交換器の熱交換作用に伴って生成されたドレン水を受ける要素であって、熱交換器の下端部が入り込む凹陥部を有している。ドレンパンは、発泡プラスチックの一種である発泡スチロール製の断熱材と、当該断熱材の表面にコーティングされた樹脂シート材と、で構成されている。【０００７】  さらに、ドレンパンは、吹出口に連通する複数の連通口を有している。連通口は、吹出口に合致する細長い形状を有するとともに、凹陥部の周囲に位置されている。連通口を規定するドレンパンの周壁部は、前記断熱材と前記樹脂シート材とで構成され、樹脂シート材が連通口に露出されている。【０００８】  ドレンパンの連通口は、吹出口の上流に位置するため、連通口の開口面積が室内に吹き出す空気の通風抵抗および空気調和機の送風性能に大きな影響を及ぼす。このため、ドレンパンの連通口の開口面積を拡大して、吹出口から室内に吹き出す空気の通風抵抗を少なく抑え、送風性能を高めることができる天井埋め込み型の空気調和機が求められている。
【課題を解決するための手段】
【０００９】  実施形態によれば、空気調和機は、熱交換器を内蔵し、天井裏に据え付けられた本体と、前記本体の下端に取り付けられ、天井から室内に露出されるとともに、前記熱交換器で熱交換された空気を室内に吹き出す吹出口が設けられた化粧パネルと、断熱材の表面を合成樹脂材で被覆することにより構成されたドレンパンと、を具備する。【００１０】  前記ドレンパンは、前記熱交換器で生成されたドレン水を受ける凹陥部と、前記凹陥部の外周囲に設けられ、前記化粧パネルの前記吹出口に連通する連通口と、前記凹陥部の外周部と前記連通口との間に介在された壁部と、を有し、当該壁部の箇所では前記断熱材が排除されて前記壁部が前記合成樹脂材で構成されている。
【図面の簡単な説明】
【００１１】
【図１】図１は、天井埋め込み型の空気調和機を示す斜視図である。
【図２】図２は、本体から化粧パネルを取り外した空気調和機の斜視図である。
【図３】図３は、天井埋め込み型の空気調和機の断面図である。
【図４】図４は、ドレン水を受けるドレンパンの斜視図である。
【図５】図５は、熱交換器、ドレンパンの連通口および化粧パネルの吹出口の位置関係を示す空気調和機の断面図である。
【図６】図６は、化粧パネルの保持具とドレンパンの係合部との位置関係を示す空気調和機の断面図である。
【図７Ａ】図７Ａは、化粧パネルの保持具をドレンパンの係合部から外した状態を示す断面図である。
【図７Ｂ】図７Ｂは、化粧パネルの保持具をドレンパンの係合部に引っ掛けた状態を示す斜視図である。
【図８】図８は、本体から化粧パネルを取り外した空気調和機の下面図である。
【図９Ａ】図９Ａは、固定具を用いて本体のケーシングにドレンパンを取り付けた状態を示す斜視図である。
【図９Ｂ】図９Ｂは、固定具をドレンパンから外れた位置に回動させた状態を示す斜視図である。
【図１０】図１０は、ドレンパンのボス部が固定具に嵌め込まれた状態を示す空気調和機の断面図である。
【図１１Ａ】図１１Ａは、ドレンパンに対するベルマウスの取り付け構造を示す斜視図である。
【図１１Ｂ】図１１Ｂは、ドレンパンに対するベルマウスの取り付け構造を示す斜視図である。
【図１２】図１２は、ドレンパンの排水口にドレンキャップを取り付けた状態を示す空気調和機の断面図である。
【図１３】図１３は、ドレンパンの排水口をドレンキャップで閉塞した状態を示す斜視図である。
【発明を実施するための形態】
【００１２】  以下、実施形態について図面を参照して説明する。
【００１３】  図１は、天井埋め込み型の空気調和機の斜視図、図２は、本体から化粧パネルを取り外した状態を示す空気調和機の斜視図、図３は、天井埋め込み型の空気調和機の断面図である。
【００１４】  図１ないし図３に示すように、空気調和機１は、天井裏に据え付けられた本体１ａと、本体１ａの下端に取り付けられた化粧パネル２と、を主要な要素として備えている。本体１ａは、天井板Ｃに設けられた開口部ａに室内の側から挿入されるとともに、複数の吊り下げボルト（図示せず）を介して天井裏の梁から吊り下げられている。
【００１５】  本体１ａは、板金製のケーシング３を備えている。ケーシング３は、下向きに開口された箱形の要素であって、金属板を加工した天板部３ａおよび側面部３ｂを含んでいる。ケーシング３の側面部３ｂは、四つの角部を有し、各角部に吊り金具Ｔが固定されている。吊り金具Ｔは、前記吊り下げボルトの下端が連結される要素であって、側面部３ｂから水平に突出されている。さらに、ケーシング３の内周面は、発泡スチロール材のような断熱材４で覆われている。したがって、本体１ａは、断熱構造を有している。
【００１６】  本体１ａの内部の略中央部に送風機５が配置されている。送風機５としては、軸方向から空気を吸い込んで周方向に吐き出す、いわゆる遠心ファンを用いている。送風機５の上端は、ケーシング３の天板部３ａで覆われているので、送風機５の下端が吸い込み側となる。
【００１７】  送風機５の吐き出し側となる送風機５の周囲に熱交換器６が配置されている。熱交換器６は、略四角い枠状であり、送風機５を取り囲んでいる。熱交換器６の下部に沿ってドレンパン７が配置されている。ドレンパン７は、空気調和機１を冷房モードで運転した時に、熱交換器６の熱交換作用によって生じたドレン水を受ける。ドレンパン７に溜まったドレン水は、図１２に示すドレンポンプ４９により空気調和機１の外に排水される。
【００１８】  ドレンパン７の中央部に円形の取り付け孔７ｃが形成されている。ドレンパン７の取り付け孔７ｃにベルマウス８が取り付けられている。ベルマウス８は、送風機５の吸い込み側と向かい合う吸込口１０を構成している。
【００１９】  図２および図３に示すように、ドレンパン７は、下向きに開口されたケーシング３の下端に位置されている。ドレンパン７の外周部は、ケーシング３の内周面を覆った断熱材４の内側に嵌め込まれている。
【００２０】  前記化粧パネル２は、ケーシング３の下端を室内から覆っている。化粧パネル２は、例えば合成樹脂材料を用いて美麗に成形されている。化粧パネル２は、天井板Ｃの下面から室内に露出されているとともに、本体１ａの外周面と天井板Ｃの開口部ａとの間の隙間を遮蔽している。
【００２１】  図１に示すように、化粧パネル２は、吸込みグリル１１とパネル本体１２とを備えている。吸込みグリル１１は、化粧パネル２の略中央部に設けられている。吸込みグリル１１は、例えば正方形状に形成されているとともに、昇降機構もしくは回動機構を介してケーシング３に開閉可能に支持されている。
【００２２】  吸込みグリル１１は、四角い枠状に形成された周縁部と、周縁部で囲まれたグリル部１１ａとを備えている。周縁部を規定する四つの辺部は、所定の幅を有する細長い平らな板で形成されている。グリル部１１ａは、吸込みグリル１１の中央部に位置されている。グリル部１１ａは、吸込口１０と向かい合っている。グリル部１１ａの裏面には、図示しないフィルタが取り外し可能に支持されている。
【００２３】  図１に示すように、化粧パネル２のパネル本体１２は、四つの辺を有する四角い枠状であり、ケーシング３に連結されている。パネル本体１２は、吸込みグリル１１を周方向に連続して取り囲んでいる。
【００２４】  さらに、パネル本体１２は、四つの吹出口１３を有している。吹出口１３は、熱交換器６で熱交換された空気を化粧パネル２の四方向に吹き出す要素であって、パネル本体１２の四つの辺に夫々設けられている。各吹出口１３は、吸込みグリル１１の周縁部に沿って延びる細長い開口形状を有している。具体的には、吹出口１３は、その長手方向に沿う第１の寸法Ｌ１と、幅方向に沿う第２の寸法Ｌ２とを有し、第２の寸法Ｌ２が第１の寸法Ｌ１よりも格段に短く形成されている。
【００２５】  図５に示すように、吹出口１３は、内側壁１３ａおよび外側壁１３ｂを有している。内側壁１３ａは、吹出口１３の長手方向に沿う吹出口１３の内側面を形成している。同様に、外側壁１３ｂは、吹出口１３の長手方向に沿う吹出口１３の内側面を形成している。内側壁１３ａおよび外側壁１３ｂは、下方に進むに従いパネル本体１２の外周部に近づくように傾斜している。
【００２６】  パネル本体１２の四つの吹出口１３に夫々フラップ１４が設けられている。フラップ１４は、吹出口１３から室内に向けて吹き出す空気の吹き出し方向を変化させる要素であって、パネル本体１２に回動可能に支持されている。フラップ１４は、吹出口１３の開口形状に合致した細長いフラットな板状に形成され、吹出口１３の内側にきっちりと嵌り合うような大きさを有している。
【００２７】  空気調和機１が運転を停止している状態では、フラップ１４は吹出口１３を完全に閉塞している。このため、吹出口１３を通じて本体１ａの内部が見えることはなく、空気調和機１の外観を良好に維持することができる。
【００２８】  空気調和機１が運転を開始すると、フラップ１４が吹出口１３の内側で所望の角度に回動し、吹出口１３が開放される。それとともに、送風機５が駆動され、室内の空気が吸込みグリル１１から吸込口１０を介して本体１ａに吸い込まれる。
【００２９】  本体１ａに吸い込まれた空気は、熱交換器６を通過する過程で冷媒と熱交換される。熱交換された空気は、吹出口１３からフラップ１４に案内されて室内に吹き出し、室内を冷房又は暖房する。
【００３０】  次に、ドレンパン７の構成について詳細に説明する。
【００３１】  図４は、ドレンパンの斜視図、図５は、熱交換器、ドレンパンおよび化粧パネルの吹出口の位置関係を示す空気調和機の断面図である。ドレンパン７は、断熱材７ａと、断熱材７ａの表面にコーティングされた合成樹脂材７ｂとで構成されている。断熱材７ａは、ドレンパン７の形状を規定する要素であって、例えば発泡プラスチックの一種である発泡スチロールで構成されている。合成樹脂材７ｂとしては、例えば肉厚が５ｍｍ程度の樹脂シート材を使用している。当該樹脂シート材は、ある程度の剛性を有するとともに、断熱材７ａよりも遥かに薄く形成されている。
【００３２】  図４および図５に示すように、ドレンパン７は、熱交換器６に対応するような四角い枠状であり、ベルマウス８が取り付けられる取り付け孔７ｃを取り囲む四つの周縁部を有している。ドレンパン７の周縁部には、熱交換器６の下端部が入り込む凹陥部１５と、熱交換器６を通過した空気が導かれる四つの切欠部１６とが形成されている。
【００３３】  凹陥部１５は、内側壁１５ａ、外側壁１５ｂおよび底壁１５ｃを有するとともに、ドレンパン７の周方向に連続して形成されている。図５に最もよく示されるように、凹陥部１５の内側壁１５ａおよび底壁１５ｃは、断熱材７ａおよび合成樹脂材７ｂで構成されている。凹陥部１５の外側壁１５ｂに対応する箇所では、断熱材７ａが排除されている。このため、外側壁１５ｂは、ある程度の剛性を有するシート状の合成樹脂材７ｂによって構成されている。
【００３４】  ドレンパン７の切欠部１６は、凹陥部１５の外側でドレンパン７の周縁部に沿って延びた細長い形状を有している。切欠部１６は、凹陥部１５の外側壁１５ｂによって凹陥部１５と仕切られている。したがって、シート状の外側壁１５ｂは、凹陥部１５と切欠部１６との間に介在された壁部と言い換えることができる。
【００３５】  さらに、切欠部１６は、その長手方向に離間した一対の端壁１６ａ，１６ｂを有している。端壁１６ａ，１６ｂは、切欠部１６の幅方向に延びているとともに、外側壁１５ｂの長手方向に沿う両端からケーシング３の内周面を覆った断熱材４に向けて突出されている。端壁１６ａ，１６ｂは、凹陥部１５の内側壁１５ａおよび底壁１５ｃと同様に、断熱材７ａおよび合成樹脂材７ｂで構成されている。
【００３６】  既に述べたように、ドレンパン７の外周部は、ケーシング３の内周面を覆った断熱材４の内側に嵌め込まれている。このため、ドレンパン７の切欠部１６は、断熱材４と協働して連通口１７を構成している。連通口１７は、吸込みグリル１１の吹出口１３と同等の開口形状を有するとともに、吹出口１３に連通されている。
【００３７】  この結果、熱交換器６を通過した空気は、図５に矢印で示すように、熱交換器６と本体１ａの断熱材４との間から連通口１７を通じて化粧パネル２の吹出口１３に導かれるようになっている。
【００３８】  本実施形態によると、ドレンパン７の凹陥部１５は、吹出口１３との境界に位置された外側壁１５ｂを除き、断熱材７ａと、当該断熱材７ａの表面にコーティングされたシート状の合成樹脂材７ｂとで構成されている。そのため、凹陥部１５の断熱性能が維持されている。
【００３９】  具体的には、ドレンパン７の凹陥部１５は、空気調和機１の運転時に熱交換器６で生成されたドレン水を受け止める。凹陥部１５は、前記のように断熱性が維持されているので、冷たいドレン水がドレンパン７の凹陥部１５に溜まったとしても、ドレンパン７の外周面に結露が生じることはない。
【００４０】  一方、従来の空気調和機によると、ドレンパンは、発泡スチロール製の断熱材を断熱シート材で被覆した構成を有している。さらに、連通口を規定する切欠部との境界に位置されたドレンパンの外側壁も断熱材を主要な要素として備えている。加えて、ケーシングの断熱材の内側に嵌め込まれるドレンパンの外形寸法、熱交換器の下端部が入り込む凹陥部の位置および凹陥部の各部の寸法にしても、本実施形態と何等変わりがない。
【００４１】  この結果、連通口と凹陥部との境界に位置するドレンパンの外側壁の厚さが断熱材の存在によって増大するのを避けられず、連通口の幅寸法が制約されている。それとともに、連通口の長手方向に沿う両端部は、化粧パネルの四つの角部に達しており、これ以上、連通口の長手方向の寸法を長くすることはできない。同様に、ドレンパンの外周部は、ケーシングの内側に嵌め込まれているので、当該ケーシングが連通口の幅寸法を規制している。
【００４２】  このことから、従来の空気調和機では、ドレンパンの連通口の長手方向および幅方向の寸法が制限され、連通口の開口面積が既に限界に達している。このため、熱交換された空気が連通口を通過する際に生じる通風抵抗が、吹出口から室内に吹き出す空気の風量を低下させる要因となる。
【００４３】  本実施形態において、熱交換器６で生じたドレン水を受けるドレンパン７の凹陥部１５は、内側壁１５ａ、外側壁１５ｂおよび底壁１５ｃを有している。このため、少なくとも内側壁１５ａおよび底壁１５ｃがシート状の合成樹脂材７ｂでコーティングされた断熱材７ａを備えていれば、ドレンパン７の断熱性が維持されることになる。
【００４４】  本実施形態では、凹陥部１５の外側壁１５ｂに対応する箇所において断熱材７ａが排除され、外側壁１５ｂがシート状の合成樹脂材７ｂによって構成されている。このため、凹陥部１５と連通口１７との境界に位置された外側壁１５ｂの肉厚を可能な限り薄くすることができ、連通口１７の幅寸法を拡張することができる。
【００４５】  したがって、連通口１７および吹出口１３の開口面積を拡大することができ、その分、熱交換器６で熱交換された空気の通風抵抗を軽減して、吹出口１３から室内に吹き出す空気の風量を増やすことができる。
【００４６】  本実施形態によると、ケーシング３の下端部に嵌め込まれたドレンパン７は、空気調和機１を組み立てる際に、化粧パネル２をケーシング３に仮固定する一対の係合部２０を備えている。
【００４７】  図６は、化粧パネルの保持具とドレンパンの係合部との位置関係を示す空気調和機の断面図、図７Ａは、化粧パネルの保持具をドレンパンの係合部から外した状態を示す断面図、図７Ｂは、化粧パネルの保持具をドレンパンの係合部に引っ掛けた状態を示す斜視図、図８は、本体から化粧パネルを取り外した空気調和機の下面図である。
【００４８】  図８に示すように、一対の係合部２０は、空気調和機１を化粧パネル２の方向から見た時に、吸込口１０を間に挟んで互いに対向し合う位置に設置されている。各係合部２０は、ドレンパン７を構成する合成樹脂材７ｂに一体に形成されている。
【００４９】  図６、図７Ａおよび図７Ｂに示すように、各係合部２０は、凹部２１およびブリッジ部２２を備えている。凹部２１は、一対の側壁２１ａ，２１ｂを有している。側壁２１ａ，２１ｂは、ドレンパン７の周縁部の長手方向に互いに間隔を存して向かい合っている。ブリッジ部２２は、ドレンパン７の周縁部の長手方向に沿うように側壁２１ａ，２１ｂの間に架け渡されている。
【００５０】  化粧パネル２のパネル本体１２に一対の保持具２５（一方のみを図示）が取り付けられている。保持具２５は、例えば金属製の薄板で構成されている。図７Ａおよび図７Ｂに示すように、保持具２５は、パネル本体１２の上面にねじ等の締結具で固定されたベース部２５ａと、ベース部２５ａの一端から上方に直角に折り曲げられた延出部２５ｂと、を備えている。延出部２５ｂの上端には、円弧状に折り返された一対の爪部２５ｃが形成されている。
【００５１】  化粧パネル２を本体１ａに組み込むに当たっては、予め化粧パネル２のパネル本体１２の上面の二箇所に保持具２５を取り付けておく。パネル本体１２の上面の二箇所とは、ドレンパン７に設けた一対の係合部２０に対応した位置のことである。保持具２５が取り付けられた化粧パネル２は、ドレンパン７が嵌め込まれたケーシング３の下端部を室内から覆うように本体１ａの所定に位置に組み込む。
【００５２】  この際、化粧パネル２の上面から突出された保持具２５の延出部２５ｂをドレンパン７の凹部２１に挿入するとともに、保持具２５の爪部２５ｃをブリッジ部２２に引っ掛ける。これにより、化粧パネル２が本体１ａに仮固定される。
【００５３】  従来の空気調和機では、化粧パネルを本体に仮固定するために、化粧パネルに取り付けた保持具が引っ掛かる金具をドレンパンにインサート成形することが行われている。そのため、インサートすべき専用の金具が必要となり、ドレンパンのコストが増大するとともに、ドレンパンの成形に時間を要していた。
【００５４】  本実施形態において、化粧パネル２を本体１ａに仮固定する作業は、主に化粧パネル２を本体１ａに取り付けたり、化粧パネル２を本体１ａから取り外す時であり、化粧パネル２が常時仮固定の状態とはならない。そのため、保持具２５の爪部２５ｃが引っ掛かる要素をインサート成形された金属部品としなくても強度的に問題はない。
【００５５】  本実施形態では、保持具２５の爪部２５ｃが引っ掛かる係合部２０が、ドレンパン７を構成するシート状の合成樹脂材７ｂに一体に形成されている。そのため、インサート成形される従来の金具が不要となり、ドレンパン７のコストの削減に寄与する。
【００５６】  ドレンパン７の外周部は、ケーシング３の下端部に嵌め込まれている。したがって、ドレンパン７をケーシング３から容易に取り外したり、ケーシング３に容易に取り付けが可能な構造として、空気調和機１の保守点検時のサービス性を向上させることが望ましい。
【００５７】  本実施形態によると、ドレンパン７は、図８に示す一対の金属製の固定具３０を介してケーシング３に取り外し可能に支持されている。固定具３０は、ケーシング３の側面部３ｂの対角位置に取り付けられている。
【００５８】  図９Ａは、固定具３０を用いてケーシング３にドレンパン７を取り付けた状態を示す斜視図、図９Ｂは、固定具３０をドレンパン７から外れた位置に回動させた状態を示す斜視図である。図９Ａおよび図９Ｂに示すように、各固定具３０は、ケーシング３の側面部３ｂに固定された支持金具３１にねじ３２を介して取り付けられている。ねじ３２は、締結具の一例である。
【００５９】  詳しく述べると、支持金具３１は、平板状の受け部３１ａを備えている。受け部３１ａケーシング３の側面部３ｂからケーシング３の周囲に水平に張り出している。受け部３１ａの一部にねじ３２がねじ込まれるねじ孔３１ｂが形成されている。
【００６０】  一方、各固定具３０は、第１の面部３０ａ、第２の面部３０ｂおよび中間部３０ｃを有している。第１の面部３０ａは、支持金具３１の受け部３１ａの下面に密に接する要素であり、水平方向に延びている。第２の面部３０ｂは、ケーシング３の下端およびドレンパン７の下面に密に接する要素であり、第１の面部３０ａの反対側に向けて水平に延びている。中間部３０ｃは、第１の面部３０ａと第２の面部３０ｂとを結ぶ要素であり、ケーシング３の側面部３ｂと向かい合うように垂直に延びている。さらに、第１の面部３０ａには、ねじ孔３１ｂと合致する長孔３３が形成されている。
【００６１】  ケーシング３の下端部に嵌め込まれたドレンパン７をケーシング３に保持するには、図９Ａおよび図１０に示すように、固定具３０の中間部３０ｃをケーシング３の側面部３ｂに対向させる。さらに、固定具３０の第１の面部３０ａを支持金具３１の受け部３１ａの下面に突き合わせるとともに、第２の面部３０ｂをケーシング３の下端およびドレンパン７の下面に突き合わせる。この状態で、ねじ３２を長孔３３からねじ孔３１ｂに挿入して締め付ける。
【００６２】  これにより、ドレンパン７がケーシング３から抜け落ちないようにケーシング３の下端部に保持される。
【００６３】  空気調和機１の保守点検時にケーシング３からドレンパン７を取り外す必要が生じた場合は、ねじ３２を緩めて固定具３０の締め付けを解除する。具体的には、ねじ３２を緩めることで、図９Ｂに示すように固定具３０をケーシング３およびドレンパン７から外れた位置に回動させることができる。ねじ３２は、固定具３０を回動させる際の支点となる。
【００６４】  固定具３０を回動させる時に、固定具３０の第１の面部３０ａおよび中間部３０ｃがケーシング３の側面部３ｂと干渉して固定具３０の回動が制限されるようであれば、ねじ３２を長孔３３に沿ってスライドさせる。言い換えると、ねじ３２と長孔３３との位置を相対的に変化させる。
【００６５】  この結果、固定具３０は、ねじ３２で支持金具３１に保持された状態を維持しつつ、ケーシング３およびドレンパン７から離脱する。よって、ケーシング３およびドレンパン７が共に自由状態に移行し、ケーシング３の下端部からドレンパン７を取り外すことができる。
【００６６】  空気調和機１の保守点検に要する作業が終了したら、ケーシング３の下端部にドレンパン７を嵌め込む。引き続いて、ねじ３２を中心に固定具３０を回動させ、固定具３０の第２の面部３０ｂをケーシング３の下端およびドレンパン７の下面に突き合わせる。すなわち、固定具３０を図９Ｂの姿勢から図９Ａの姿勢に戻し、最後にねじ３２を締め付ける。
【００６７】  本実施形態によれば、ねじ３２を取り外すことなく単に緩めるだけで、固定具３０をドレンパン７から遠ざかる方向に回動させることができる。さらに、固定具３０の第２の面部３０ｂをケーシング３の下端およびドレンパン７の下面に突き合わせた後、ねじ３２を締め付けるだけの単純な作業で、固定具３０を定位置に固定できる。
【００６８】  したがって、固定具３０をケーシング３から取り外したり、ケーシング３に組み付ける作業が不要となり、空気調和機１の保守点検時のサービス性を向上させることができる。
【００６９】  本実施形態によると、板金製のケーシング３は、剛性がそれほど大きくないにも拘らず、熱交換器６およびドレンパン７の荷重を受ける。さらに、図８に示すように、ケーシング３は、固定具３０の上方に対応した位置に本体１ａを吊り下げる際に用いる吊り金具Ｔを有している。
【００７０】  このため、熱交換器６およびドレンパン７からケーシング３に加わる荷重の影響によりケーシング３が変形することがあり得る。ケーシング３の変形に伴って吊り金具Ｔの位置に狂いが生じると、吊り金具Ｔに天井裏の梁から延びる吊り下げボルトを連結することができない。そこで、本実施形態では、ケーシング３の変形を抑制する構造が採用されている。
【００７１】  具体的に述べると、図１０は、ドレンパン７と固定具３０との相対的な位置関係を示す空気調和機１の断面図である。図１０に示すように、ドレンパン７の断熱材７ａを被覆した合成樹脂材７ｂの一部にボス部３５が一体に形成されている。ボス部３５は、凹陥部１５の底壁１５ｃの部位から下向きに突出されて断熱材７ａを貫通している。ボス部３５の先端３５ａは、ドレンパン７の下面から僅かに突出されている。図１０の例では、ボス部３５は中空状に形成されているが、これは製造上の理由からであって、ボス部３５の作用的な面での優位点はない。
【００７２】  さらに、固定具３０は、第２の面部３０ｂに開口された嵌合孔３６を有している。嵌合孔３６は、固定具３０の第２の面部３０ｂをドレンパン７の下面に突き合わせた時に、ボス部３５の先端３５ａと合致する。この結果、ボス部３５の先端３５ａが固定具３０の嵌合孔３６に嵌り合う。
【００７３】  固定具３０は、ケーシング３の支持金具３１にねじ３２で固定されているので、ボス部３５の先端３５ａが固定具３０の嵌合孔３６に嵌り合うことで、ドレンパン７とケーシング３との間の位置関係およびドレンパン７と固定具３０との間の位置関係が精度よく定まる。
【００７４】  この結果、ドレンパン７および熱交換器６から加わる荷重によるケーシング３や吊り金具Ｔの位置ずれを防止することができる。言い換えると、空気調和機１の据え付け性および本体１ａに対する化粧パネル２の脱着性を悪化させることなく、ドレンパン７を本体１ａから取り外したり、本体１ａに取り付ける際のサービス性を向上させることができる。
【００７５】  従来の空気調和機によると、本体の吸込口を形成するベルマウスは、ドレンパンを構成する合成樹脂材に設けた複数のボス部にねじで固定されている。天井埋め込み型の空気調和機では、吸込口の口径が大きいために、ベルマウスが大型化するのを避けられない。そのため、重く大きなベルマウスを支えるため、数多くのボス部およびねじを必要とし、ドレンパンにベルマウスを固定する作業に多大な手間と労力を要している。
【００７６】  この対策として、本実施形態では、ドレンパン７にベルマウス８を容易に固定するための構造が採用されている。図１１Ａおよび図１１Ｂは、夫々ドレンパン７に対するベルマウス８の取り付け構造を上下方向に反転して示す斜視図である。ベルマウス８は、ドレンパン７の取り付け孔７ｃに下方から嵌め込まれている。
【００７７】  図１１Ａおよび図１１Ｂに示すように、ドレンパン７を構成する断熱材７ａに複数の切欠き４１が設けられている。切欠き４１は、取り付け孔７ｃに開口されているとともに、取り付け孔７ｃの周方向に互いに離れている。
【００７８】  さらに、断熱材７ａの上面を覆う合成樹脂材７ｂに複数の係止爪４２が形成されている。係止爪４２は、切欠き４１に挿入されている。係止爪４２の先端は、切欠き４１からドレンパン７の下方に向けて突出されている。係止爪４２の先端に、取り付け孔７ｃの径方向に沿う内側に向けて張り出す爪部４２ａが形成されている。爪部４２ａは、ベルマウス７の周縁部に引っ掛かっている。
【００７９】  このため、図１１Ａおよび図１１Ｂの状態からドレンパン７を上下に反転させれば、係止爪４２の爪部４２ａがベルマウス８の周縁部を下方から支えた状態に移行し、ベルマウス８がドレンパン７の取り付け孔７ｃに保持される。
【００８０】  したがって、係止爪４２とねじを併用してベルマウス８をドレンパン７に固定する構成とすれば、ねじの本数およびねじを受けるボス部の数を減らすことができる。よって、ドレンパン７にベルマウス８を固定する際の作業性を改善することができる。
【００８１】  従来の空気調和機によると、ドレンパンは、排水口を有している。排水口は、ドレンパンに溜まったドレン水を強制的に排出するドレンポンプの真下に位置されている。さらに、排水口は、取り外し可能なドレンキャップで閉塞されている。ドレンキャップは、その外周部が数多くのねじでドレンパンに取り付けられている。ドレンポンプをメンテナンスする際には、ドレンキャップをドレンパンから取り外して排水口を開放する必要がある。
【００８２】  図４および図１２に示すように、ドレンパン７は、凹陥部１５に開口された排水口４８を有している。排水口４８は、ドレンポンプ４９の真下に位置されているとともに、取り外し可能なドレンキャップ５０で閉塞されている。図１２は、ドレンパン７の排水口４８にドレンキャップ５０を取り付けた状態を示す断面図、図１３は、ドレンパン７の排水口４８をドレンキャップ５０で閉塞した状態を示す斜視図である。
【００８３】  図１３に示すように、単一の固定爪５１および一対の舌片５２ａ，５２ｂがドレンキャップ５０の外周縁部に一体に形成されている。固定爪５１および舌片５２ａ，５２ｂは、ドレンキャップ５０の周方向に互いに間隔を存して配置されている。
【００８４】  図１２に示すように、固定爪５１は、ドレンキャップ５０の外周縁部から上向きに突出されている。固定爪５１の上端部には、円弧状に折り返された爪部５１ａが形成されている。舌片５２ａ，５２ｂは、ドレンキャップ５０の外周縁部から水平に張り出している。舌片５２ａ，５２ｂは、その外周縁に開口するように半円状に切り欠かれたスリット（図示せず）を有している。
【００８５】  図１２に示すように、ドレンパン７の断熱材７ａを被覆した合成樹脂材７ｂに第１のボス部５４および一対の第２のボス部５５（一方のみを図示）が一体に形成されている。第１のボス部５４および第２のボス部５５は、夫々合成樹脂材７ｂから下向きに突出されて断熱材７ａを貫通している。
【００８６】  第１のボス部５４の先端５４ａは、ドレンキャップ５０の固定爪５１に対応した位置でドレンパン７の下面に露出されている。固定爪５１の爪部５１ａは、第１のボス部５４の先端５４ａに取り外し可能に引っ掛かっている。
【００８７】  第２のボス部５５は、その先端５５ａに開口されたねじ孔５６を有している。第２のボス部５５の先端５５ａは、舌片５２ａ，５２ｂのスリットに対応した位置でドレンパン７の下面に露出されている。舌片５２ａ，５２ｂは、夫々ねじ５７を介して第２のボス部５５に固定されている。ねじ５７は、舌片５２ａ，５２ｂのスリットを通じて第２のボス部５５のねじ孔５６にねじ込まれている。
【００８８】  本実施形態によると、ドレンキャップ５０は、一つ固定爪５１と二本のねじ５７でドレンパン７に取り外し可能に固定されている。そのため、ドレンキャップ５０を数多くのねじでドレンパン７に固定する従来との比較において、ねじ止め箇所を少なくすることができる。よって、ドレンパン７にドレンキャップ５０を取り付けたり、ドレンパン７からドレンキャップ５０を取り外す際の作業性を改善することができる。
【００８９】  本実施形態において、第２のボス部５５は、ドレン水が溜まり難いドレンパン７の上面に近い部位から下向きに突出させることが好ましい。このようにすれば、第２のボス部５５の先端５５ａにドレンキャップ５０の舌片５２ａ，５２ｂをねじ５７で固定した時に、ドレン水の冷熱が第２のボス部５５を介してねじ５７に伝わり難くなり、ねじ５７の頭部に結露が生じるのを防止できる。
【００９０】  以上、幾つかの実施形態を説明したが、上述の実施形態は例として提示したものであり、実施形態の範囲を限定することを意図していない。この新規な実施形態は、その他の様々な形態で実施することが可能であり、発明の要旨を逸脱しない範囲内で種々の省略、置き換え、変更を行うことができる。これらの実施形態やその変形は、発明の範囲や要旨に含まれるとともに、特許請求の範囲に記載された発明とその均等の範囲に含まれる。
【符号の説明】
【００９１】  １…空気調和機、１ａ…本体、２…化粧パネル、７…ドレンパン、７ａ…断熱材、７ｂ…合成樹脂材、１３…吹出口、１５…凹陥部、１５ｂ…外側壁（壁部）、１７…連通口。
【図１】
2015125673.tif 000003
【図２】
2015125673.tif 000004
【図３】
2015125673.tif 000005
【図４】
2015125673.tif 000006
【図５】
2015125673.tif 000007
【図６】
2015125673.tif 000008
【図７Ａ】
2015125673.tif 000009
【図７Ｂ】
2015125673.tif 000010
【図８】
2015125673.tif 000011
【図９Ａ】
2015125673.tif 000012
【図９Ｂ】
2015125673.tif 000013
【図１０】
2015125673.tif 000014
【図１１Ａ】
2015125673.tif 000015
【図１１Ｂ】
2015125673.tif 000016
【図１２】
2015125673.tif 000017
【図１３】
2015125673.tif 000018
【手続補正書】
【提出日】平成29年1月12日(2017.1.12)
【手続補正１】
【補正対象書類名】特許請求の範囲
【補正対象項目名】全文
【補正方法】変更
【補正の内容】
【特許請求の範囲】
【請求項１】
熱交換器を内蔵し、天井裏に据え付けられた本体と、
前記本体の下端に取り付けられ、天井から室内に露出されるとともに、前記熱交換器で熱交換された空気を室内に吹き出す吹出口が設けられた化粧パネルと、
断熱材の表面を当該断熱材よりも薄い合成樹脂材で被覆することにより構成されるとともに、排水口を有するドレンパンと、を具備し、
前記ドレンパンは、
前記熱交換器で生成されたドレン水を受ける凹陥部と、
前記凹陥部の外周囲に設けられ、前記化粧パネルの前記吹出口に連通する連通口と、
前記凹陥部の外周部と前記連通口との間に介在され、前記合成樹脂材で構成された壁部と、
前記排水口に取り付けられたドレンキャップと、を含み、
前記ドレンキャップは、その周縁から突出された爪部および舌片を有し、前記ドレンパンを構成する前記合成樹脂材は、前記断熱材を貫通する第１のボス部および第２のボス部を有し、前記ドレンキャップの前記爪部が前記第１のボス部の先端に取り外し可能に引っ掛かり、前記ドレンキャップの前記舌片が前記第２のボス部にねじを介して固定された空気調和機。
【請求項２】
前記合成樹脂材は、前記断熱材よりも薄い剛性を有するシート材で構成された請求項１に記載の空気調和機。
【請求項３】
前記本体は、金属製のケーシングと、当該ケーシングの内周面を覆う断熱材と、を有し、前記ドレンパンは、前記本体の前記断熱材の内側に嵌め込まれているとともに、前記本体の前記断熱材が前記ドレンパンの前記壁部と向かい合う請求項１に記載の空気調和機。
【請求項４】
前記本体の前記断熱材は、前記ドレンパンの前記壁部と協働して前記連通口を構成する請求項３に記載の空気調和機。
【請求項５】
前記化粧パネルは、当該化粧パネルを前記本体に仮固定する保持具を有し、前記ドレンパンを構成する前記合成樹脂材に前記保持具が取り外し可能に引っ掛かる係合部が一体に設けられた請求項１に記載の空気調和機。
【請求項６】
前記ドレンパンの前記係合部は、前記保持具の先端部が入り込むとともに互いに対向し合う一対の側壁を有する凹部と、前記凹部の前記側壁の間に架け渡され、前記保持具の先端部が取り外し可能に引っ掛かるブリッジ部と、で構成された請求項５に記載の空気調和機。
【請求項７】
前記ドレンパンを前記ケーシングに固定する固定具をさらに備え、前記固定具は、前記本体にねじで固定された第１の面部と、前記ドレンパンを下から支える第２の面部と、を有し、前記ねじを緩めることで前記第２の面部が前記ドレンパンから外れた位置に前記固定具が回動可能である請求項３に記載の空気調和機。
【請求項８】
前記ドレンパンを構成する前記合成樹脂材は、前記断熱材を貫通して前記ドレンパンの下面から突出されたボス部を有し、前記固定具の前記第２の面部は、前記ドレンパンを下から支えた時に前記ボス部が嵌り込む嵌合孔を有する請求項７に記載の空気調和機。
【請求項９】
前記ケーシングに前記本体を吊り下げる吊り金具が設けられ、当該吊り金具は、前記固定具の上方に位置された請求項８に記載の空気調和機。
【手続補正２】
【補正対象書類名】明細書
【補正対象項目名】０００９
【補正方法】変更
【補正の内容】
【０００９】
実施形態によれば、空気調和機は、熱交換器を内蔵し、天井裏に据え付けられた本体と、  前記本体の下端に取り付けられ、天井から室内に露出されるとともに、前記熱交換器で熱交換された空気を室内に吹き出す吹出口が設けられた化粧パネルと、断熱材の表面を当該断熱材よりも薄い合成樹脂材で被覆することにより構成されるとともに、排水口を有するドレンパンと、を具備する。
【手続補正３】
【補正対象書類名】明細書
【補正対象項目名】００１０
【補正方法】変更
【補正の内容】
【００１０】
前記ドレンパンは、前記熱交換器で生成されたドレン水を受ける凹陥部と、前記凹陥部の外周囲に設けられ、前記化粧パネルの前記吹出口に連通する連通口と、前記凹陥部の外周部と前記連通口との間に介在され、前記合成樹脂材で構成された壁部と、前記排水口に取り付けられたドレンキャップと、を含んでいる。
前記ドレンキャップは、その周縁から突出された爪部および舌片を有し、前記ドレンパンを構成する前記合成樹脂材は、前記断熱材を貫通する第１のボス部および第２のボス部を有し、前記ドレンキャップの前記爪部が前記第１のボス部の先端に取り外し可能に引っ掛かり、前記ドレンキャップの前記舌片が前記第２のボス部にねじを介して固定されている。
【手続補正４】
【補正対象書類名】明細書
【補正対象項目名】００５９
【補正方法】変更
【補正の内容】
【００５９】
詳しく述べると、支持金具３１は、平板状の受け部３１ａを備えている。受け部３１ａは、ケーシング３の側面部３ｂからケーシング３の周囲に水平に張り出している。受け部３１ａの一部にねじ３２がねじ込まれるねじ孔３１ｂが形成されている。
【手続補正５】
【補正対象書類名】明細書
【補正対象項目名】００７８
【補正方法】変更
【補正の内容】
【００７８】
さらに、断熱材７ａの上面を覆う合成樹脂材７ｂに複数の係止爪４２が形成されている。係止爪４２は、切欠き４１に挿入されている。係止爪４２の先端は、切欠き４１からドレンパン７の下方に向けて突出されている。係止爪４２の先端に、取り付け孔７ｃの径方向に沿う内側に向けて張り出す爪部４２ａが形成されている。爪部４２ａは、ベルマウス８の周縁部に引っ掛かっている。
【手続補正６】
【補正対象書類名】明細書
【補正対象項目名】００９１
【補正方法】変更
【補正の内容】
【００９１】
１…空気調和機、１ａ…本体、２…化粧パネル、７…ドレンパン、７ａ…断熱材、７ｂ…合成樹脂材、１３…吹出口、１５…凹陥部、１５ｂ…外側壁（壁部）、１７…連通口、４８…排水口、５０…ドレンキャップ、５１ａ…爪部、５２ａ…舌片、５４…第１のボス部、５５…第２のボス部、５７…ねじ。
【国際調査報告】
2015125673.tif 000019
2015125673.tif 000020
2015125673.tif 000021
2015125673.tif 000022